Podtech/llm-jp-corpus-v4-ja_patent huggingface dataset:
(57)【要約】      （修正有）【課題】従来個別に発電していた水力発電の水と、風力発電の発電源である風の各々が持つエネルギーを一つに合体させて、発電する発電装置を提供する。【解決手段】水車１のエネルギーでアームの作動をピストン４に伝え、そこで発生した空気を貯蔵タンクタンク５に送り、圧縮し圧力をかけた空気をノズル６から噴出させ発電機７の羽根８に当て、それを回転させて発電する、水プラス空気一体型を特徴とする。【選択図】図１
2014025464.tif 000002
【特許請求の範囲】
【請求項１】
回転する水車（１）の動輪の一部に取り付けられたアーム（２）のエネルギーで、ピストン（４）を作動させ、そのエネルギーで生じた空気を貯蔵タンク（５）に送り、圧縮し、圧力をかけて、ノズル（６）から強力な空気を発電機（７）の羽根（８）に当て、それを高速回転させて発電する発電装置。
【発明の詳細な説明】
【技術分野】
【０００１】この発明は、自然界の水と空気の２種類の、それぞれ別個に持つエネルギーを一つに合体させ、効率よく発電する、水プラス空気一体型の（ＨＹＢＲＩＤ発電装置）である。
【背景技術】
【０００２】従来、水力発電はダムなどを建設し水を堰き止め、落差をつけて落下から生ずるエネルギーで発電し、風力発電は自然に発生する風を風車の羽根で受けて、羽根の回転から生ずるエネルギーで発電するという全く別の発電装置であった。
【先行技術文献】
【特許文献】
【０００３】
【特許文献１】
【発明の概要】
【発明が解決しようとする課題】
【０００４】これは次のような欠点があった。
（イ）水力発電は、水量の多い山間部などに、落差をつけるために、巨大なダムという建造物を造り水を堰き止め、自然を破壊し、環境を悪化させ莫大な建設費をかけ、水力発電所を建造。
（ロ）風力発電は、風が強く、住民に悪影響を与えない場所を選び、自然の風力に任せた発電方式であった。
本発明は以上のような欠点をなくすためになされたものである。
【課題を解決するための手段】
【０００５】水の流れから生ずるエネルギーで、水車（１）を回転させ、そのエネルギーを両サイドに取り付けたアーム（２）のエネルギーをピストン（４）に伝え、そこで発生させた空気を貯蔵タンク（５）に送り、圧縮、圧力をかけてエネルギーに変換した空気を、発電時、ノズル（６）から噴出させてそれを発電機の羽根に当て、回転させて発電する発電装置である。
【発明の効果】
【０００６】水も空気も自然界に無尽蔵に存在し、天候にも左右されず、昼夜を問わず安定したクリーンな資源で、水と空気を合体し、一つにすれば、単独の力しかなかったときより、強力なエネルギーに変換でき、安価で、そして安心、安全な発電装置である。
【図面の簡単な説明】
【０００７】
【図１】本発明の側面図（正面）である。
【発明を実施するための形態】
【０００８】以下、本発明を実施するための形態について説明する。
河川の水の流れから生ずるエネルギーで、水車（１）の動輪の一か所にアーム（２）取り付けて、回転力で生ずるアーム（２）からのエネルギーをピストン（４）に与える。ピストン（４）の上下動（左右動）で、空気を貯蔵タンク（５）に送り、圧縮し、圧力をかけ、発電時にノズル（６）から発電機（７）の羽根（８）に当て、それを高速回転させて発電する装置である。
発電量をより増加する時は、水車（１）の数を増やし、貯蔵タンク（５）を大型化し、発電機（７）を増設すれば解決する。
【符号の説明】
【０００９】    １    水車
２    アーム
３    水路
４    ピストン
５    空気貯蔵タンク
６    ノズル
７    発電機
８    羽根
【図１】
2014025464.tif 000003
(57)【要約】【課題】  ピアノ演奏を実施する時に、初心者でも鍵盤の音階の位置が一目瞭然で分かるピアノ演奏アシストシートを提供する。【解決手段】  ピアノの黒鍵盤部分のド♯、レ♯、ファ♯、ソ♯、シ♭にあたる部分をくり抜いた形状の鍵盤シートに白鍵盤部分のド、レ、ミ、ファ、ソ、ラ、シ、ドの音名と黒鍵盤部分のド♯、レ♯、ファ♯、ソ♯、シ♭の音名を記載した初心者向けピアノ演奏アシストシートを特徴とする【選択図】図１
2014130303.tif 000002
【特許請求の範囲】
【請求項１】
黒鍵盤部分のド♯、レ♯、ファ♯、ソ♯、シ♭にあたる部分をくり抜いた形状の鍵盤シートに白鍵盤部分のド、レ、ミ、ファ、ソ、ラ、シ、ドの音名と黒鍵盤部分のド♯、レ♯、ファ♯、ソ♯、シ♭の音名を記載した初心者向けピアノ演奏アシストシート。
【発明の詳細な説明】
【技術分野】
【０００１】  この発明は、ピアノ演奏を実施する時に、初心者でも鍵盤の音階の位置が一目瞭然で分かり、短時間でピアノが弾けるようになる初心者向けピアノ演奏アシストシートに関するものである。
【背景技術】
【０００２】  従来、鍵盤上に貼るシール状の物が多く、鍵盤の位置がわからない初心者が正しい音階の位置にシールを貼るのは難易度が高く、かつ、シール跡が残りやすいのが難点であった。
さらに、シールを貼ったり、剥がしたりの作業が面倒であった。（１オクターブで８回貼ったり、剥がしたりする必要があった）
【先行技術文献】
【０００３】
【特許文献１】  特開２００４−３６１９０５
【発明の概要】
【発明が解決しようとする課題】
【０００４】  これは次のような欠点があった。
まったくの初心者は、鍵盤の音階の位置もわからないので、シールを貼るにしても位置がわからないことが多く、シールを貼る事自体が困難であった。
また、シール跡が残るということもあった。
さらに、シールを貼ったり、剥がしたりの作業が面倒であった。（１オクターブで８回貼ったり、剥がしたりする必要があった）
本発明は以上のような欠点をなくすためになされたものである。
【課題を解決するための手段】
【０００５】  紙もしくは、プラスチックシートから黒鍵盤部分のド♯、レ♯、ファ♯、ソ♯、シ♭にあたる部分をくり抜いて、鍵盤シートを作る。
鍵盤シートに白鍵盤部分のド、レ、ミ、ファ、ソ、ラ、シ、ドの音名と黒鍵盤部分のド♯、レ♯、ファ♯、ソ♯、シ♭の音名を記載する。
本発明は、以上の構成よりなる初心者向けピアノ演奏アシストシートである。
【発明の効果】
【０００６】  黒鍵盤部分をくり抜いた状態のシートを鍵盤上に置く為、シートの置き場所がおのずと固定され、初心者でもどの位置に置けばよいか一目瞭然で分かる。
鍵盤の音階の位置も一目瞭然で分かるため、譜面をみながら、初心者でもすぐに鍵盤を弾くことが可能になった。
また不要の際はシートを取り外せばよく、取り外しが従来のものよりも簡単にでき、シール跡も残ることない。
【図面の簡単な説明】
【０００７】
【図１】本発明の平面図である。
【図２】本発明の平面図である。
【発明を実施するための形態】
【０００８】  以下、本発明を実施するための形態について説明する。
本発明の平面図である図１は、Ａ４サイズ版で１２鍵盤分を表現したタイプである。
本発明の平面図である図２は、Ａ４サイズ版を折り畳み型にすることで、２４鍵盤（３オクターブ）を表現したタイプである。
紙もしくは、プラスチックシートから黒鍵盤部分のド♯、レ♯、ファ♯、ソ♯、シ♭にあたる部分をくり抜いて、鍵盤シートを作る。
鍵盤シートに白鍵盤部分のド、レ、ミ、ファ、ソ、ラ、シ、ドの音名と黒鍵盤部分のド♯、レ♯、ファ♯、ソ♯、シ♭の音名を記載する。
本発明は、以上のような構造である。
これを使用するときは、くり抜かれた黒鍵盤の位置を、実際のピアノの黒鍵盤の位置に合うようにおいて使用する。
【符号の説明】
【０００９】    １  ピアノ演奏アシストシート
２  ピアノの黒鍵盤部分
３  ピアノの白鍵盤部分
【図１】
2014130303.tif 000003
【図２】
2014130303.tif 000004
(57)【要約】【課題】本発明は、コネクタの位置を知らせるコンピュータコネクタ位置提示システムを提供することを目的とする。【解決手段】本発明に係るコンピュータコネクタ位置提示システムはコンピュータのコネクタの位置を知らせるために使用され、コンピュータに設置される発光ダイオード及びスイッチを備える。発光ダイオードの陽極はマザーボード電源に接続され、発光ダイオード陰極はサウスブリッジチップに接続され、スイッチは、サウスブリッジチップに接続され、前記サウスブリッジチップが発光ダイオードに対して高パワーレベル信号又は低パワーレベル信号を出力することを制御することによって、発光ダイオードを点灯させる又は消灯させる。【選択図】図１
2014130592.tif 000002
【特許請求の範囲】
【請求項１】
コンピュータに設置される発光ダイオード及びスイッチを備え、コンピュータのコネクタの位置を知らせる、コンピュータコネクタ位置提示システムであり、
前記発光ダイオードの陽極は、マザーボード電源に接続され、
前記発光ダイオードの陰極は、サウスブリッジチップに接続され、
前記スイッチは、前記サウスブリッジチップに接続され、前記サウスブリッジチップが発光ダイオードに対して高パワーレベル信号又は低パワーレベル信号を出力することを制御することによって、発光ダイオードを点灯させる又は消灯させることを特徴とするコンピュータコネクタ位置提示システム。
【請求項２】
導光部をさらに備え、前記導光部の一端は、前記発光ダイオードに隣接し、前記導光部の他端は、前記コネクタに隣接し、前記導光部は、前記発光ダイオードの光を前記コネクタに導くことを特徴とする請求項１に記載のコンピュータコネクタ位置提示システム。
【請求項３】
前記スイッチは、前記コンピュータのキーボード上に設置されることを特徴とする請求項１又は２に記載のコンピュータコネクタ位置提示システム。
【請求項４】
前記スイッチが押圧されると、前記サウスブリッジチップは、前記発光ダイオードの陰極に低パワーレベル信号を出力し、前記発光ダイオードは点灯し、再び前記スイッチが押圧されると、前記サウスブリッジチップは、前記発光ダイオードの陰極に高パワーレベル信号を出力し、前記発光ダイオードは消灯することを特徴とする請求項１から３の何れか一項に記載のコンピュータコネクタ位置提示システム。
【発明の詳細な説明】
【技術分野】
【０００１】
本発明は、コンピュータコネクタ位置提示システムに関するものである。
【背景技術】
【０００２】
従来の技術において、部屋に明かりが無い場合、暗い環境下でコンピュータのコネクタを探すのは難しい。
【発明の概要】
【発明が解決しようとする課題】
【０００３】
本発明の目的は、前記問題を解決し、コネクタの所在（位置）を知らせるコンピュータコネクタ位置提示システムを提供することである。
【課題を解決するための手段】
【０００４】
上記目的を達成するために、本発明に係るコンピュータコネクタ位置提示システムは、コンピュータのコネクタの位置を知らせるために使用され、コンピュータに設置される発光ダイオード及びスイッチを備える。発光ダイオードの陽極は、マザーボード電源に接続され、発光ダイオードの陰極は、サウスブリッジチップに接続され、スイッチは、サウスブリッジチップに接続され、サウスブリッジチップが発光ダイオードに対して高パワーレベル信号又は低パワーレベル信号を出力することを制御することによって、発光ダイオードを点灯させる又は消灯させる。
【発明の効果】
【０００５】
本発明に係るコンピュータコネクタ位置提示システムは、ユーザが、暗い部屋の中で明かりをつけなくても、キーボード上のスイッチを操作すれば、発光ダイオードを点灯することができるため容易にコネクタの位置が分かり、便利である。
【図面の簡単な説明】
【０００６】
【図１】本発明の実施形態に係るコンピュータコネクタ位置提示システムのブロック図である。
【発明を実施するための形態】
【０００７】
図１に示したように、本発明の実施形態に係るコンピュータコネクタ位置提示システム１０は、コネクタ１００の位置を示すために使用される。提示システム１０は、導光部１０１と、発光ダイオード１０２と、スイッチ１０５と、を備える。本実施形態において、発光ダイオード１０２は、マザーボードに設置される。導光部１０１の一端は、発光ダイオード１０２に隣接し、導光部１０１の他端はコネクタ１００に隣接する。導光部１０１は発光ダイオード１０２の光をコネクタ１００に導き、コネクタ１００を照らす。
【０００８】
発光ダイオード１０２の陽極は、マザーボード電源１０３に接続され、発光ダイオード１０２の陰極は、入力出力インターフェースを介して、サウスブリッジチップ１０４に接続されるとともに、サウスブリッジチップ１０４から伝送されてくる低パワーレベル信号を受信する。他の実施形態において、導光部１０１を省略して、発光ダイオード１０２をコネクタ１００の近傍に設置し、発光ダイオード１０２が発光させてコネクタ１００を直接照らしても良い。
【０００９】
スイッチ１０５は、キーボード１０６上に設置され、且つサウスブリッジチップ１０４に接続される。スイッチ１０５は、サウスブリッジチップ１０４が発光ダイオード１０２に対して高パワーレベル信号又は低パワーレベル信号を出力することを制御する。他の実施形態において、スイッチ１０５は、他の場所に設置しても良い。
【００１０】
本実施形態において、マザーボード電源１０３は、発光ダイオード１０２の陽極に対して連続的に正の電圧を出力する。コネクタ１００を照らす際、スイッチ１０５を押圧すると、サウスブリッジチップ１０４は、スイッチ１０５から伝送されてきた制御信号を受信するとともに、発光ダイオード１０２の陰極に低パワーレベル信号を出力する。これによって、発光ダイオード１０２は、導通されるとともに点灯する。導光部１０１は、発光ダイオード１０２の光をコネクタ１００に導き、コネクタ１００を照らすので、ユーザは、容易にコネクタ１００の位置を見つけることができる。
【００１１】
コネクタ１００を照らす必要がない場合、再びスイッチ１０５を押圧すると、サウスブリッジチップ１０４は、スイッチ１０５から、もう１つの制御信号を受信し、発光ダイオード１０２の陰極に高パワーレベル信号を出力する。これによって、発光ダイオード１０２を消灯することができるので、エネルギー消費を削減できる。
【００１２】
ユーザは、暗い部屋の中で明かりをつけなくても、キーボード１０６上のスイッチ１０５を操作すれば、発光ダイオード１０２を点灯することができため、容易にコネクタ１００の位置が分かり、便利である。
【符号の説明】
【００１３】
１０  コンピュータコネクタ位置提示システム
１００  コネクタ
１０１  導光部
１０２  発光ダイオード
１０３  マザーボード電源
１０４  サウスブリッジチップ
１０５  スイッチ
１０６  キーボード
【図１】
2014130592.tif 000003
(57)【要約】【課題】利用者は自分のアバターを作ることにより、自分の意思や人格や主張を永久的に残すことができるシステムを提供する。【解決手段】アバターは利用者が操作しなくても自動で動き、他者とコミュニケーションを行えるシステムとする。さらに、利用者はシステムからの様々な質問に回答することによって、アバターを自分の人格に近づけるようにする。【選択図】図１
2014130553.tif 000002
【特許請求の範囲】
【請求項１】
利用者は自分のアバターを作ることにより、自分の意思や人格や主張を永久的に残すことができるシステム。
具体的には、アバターは自分で動かすのではなく、自動に動くシステムであり、他者がアバターに話しかけることにより、アバターとコミュニケーションを行うことができるシステム。さらに利用者はシステムからの様々な質問に回答することによって、アバターを自分の人格に近づける。
【発明の詳細な説明】
【技術分野】
【０００１】この発明は、利用者の人格や意思をもつ、利用者に酷似したアバターをネット空間に残し、自分の存在を永久的に残すための手段を備えたシステムに関するものである。
【背景技術】
【０００２】従来は、利用者が操作しないと動かない、永久的ではないアバターであった。
また現在、自分の死後、自分の意思や人格や主張を後世に残せる社会インフラが存在しない。
【発明の概要】
【発明が解決しようとする課題】
【０００３】これは次のような欠点があった。
利用者が自分のアバターを作成しても、自分が操作しないと動かないため、他者とコミュニケーションをとることができない。
また、人には、自分の死後に自分の存在が忘れられてしまう恐怖や、自分の意思や人格や主張を後世に伝えたいと思う感情などあるにも関わらず、自分の存在を残すための社会インフラが存在しない。
本発明は、以上のような欠点をなくすためになされたものである。
【課題を解決するための手段】
【０００４】利用者が操作しなくても、自分のアバターは自動に動き、他者とコミュニケーションを行うシステムとする。
また、自分のアバターを自分の人格に近づけるために、利用者は本発明のシステムからの様々な質問に回答し、アバターを精緻化する。
【発明の効果】
【０００５】本システムの発明により、利用者は自分の代弁者となるアバターを作成し、自分でアバターを操作することなく、他者からの質問等に応じることができ、コミュニケーションを行えるようになる。
【図面の簡単な説明】
【０００６】
【図１】本発明の概略図である。
【発明を実施するための形態】
【０００７】アバターを利用者本人に近づけるため、システムから利用者への質問を行う。
利用者の回答を、アバターによるコミュニケーションの内容に反映させる。
アバターは、利用者が操作するのではなく、自動に動く。
アバターは、他者から話しかけられることにより会話を行う。
【図１】
2014130553.tif 000003
(57)【要約】      （修正有）【課題】高額な取引手数料の改善。消費者の関心が高い耐震や断熱性能等のインスペクション（検査）情報の提示、保証、瑕疵担保責任に対する業界や宅建業者の改善。インスペクション情報を提示する取組みや取引の進め方の統一、さらに宅建業者の保証責任の説明等、購入者の不安の軽減。不動産売買取引量の増大。全国の消費者も業者も参加できる取引手数料の低減やＩＴ化、わかり易く安心な取引を可能にする。【解決手段】取引価格の１％程度をキャッシュバックする仕組みで消費者の負担を軽減して、多くの不動産売買取り引き量を増やす。提携した全国の宅建業者に対して、申込みのあった不動産売買希望者の担当を依頼する際に一定のインスペクション（検査）情報の提示等の不動産取引の取り組みの同意を得て、安心でわかり易い取り引きを実現する。【選択図】なし【特許請求の範囲】
【発明の詳細な説明】
【発明の分野】
インターネットを活用した不動産売買の取引と販売促進、広告、情報提供
【発明の効果】
不動産売買取引量の増大と安心でわかり易い取り引きの実現
【効果をもたらした工夫】
不動産取引価格の１％程度をキャッシュバックする仕組みで売買時の負担を軽減して、不動産売買取引量増大を実現する
弊社が担当する場合に限らず提携した全国の宅建業者に対して、申込みのあった不動産売買希望者の担当を依頼する際に一定のインスペクション（検査）情報提示等の取組み同意を得て、安心でわかり易い取り引きを実現する
【従来の手法】
消費者はレインズなど宅建業者のみが参加できるサイトや、数多くの不動産物件検索サイト、チラシ、店頭等で物件に出会い、いくつかの物件を比較して売買する事になるが消費者が価格や性能の比較を行う事は難しい
消費者は高額な物件価格や取引手数料に比して、担当している宅建業者からのインスペクション（検査）情報の不足や取引の進め方が統一されていない点、現状有姿売買を基本とする現在の取引形態において個人売主の瑕疵担保責任能力が弱い事、さらに宅建業者の保証責任範囲等の説明不足を不安に感じながら不動産取引をしている
【発明の実施形態】
【図面の簡単な説明】
【図１】  （１）システムの全体と概要
【図２】  （２）顧客対応の関係図
【図３】  （３）取引手数料とキャッシュバックサービスの関係図
【図４】  （４）インスペクション項目
【図１】
2014130555.tif 000002
【図２】
2014130555.tif 000003
【図３】
2014130555.tif 000004
【図４】
2014130555.tif 000005
【手続補正書】
【提出日】平成25年2月14日(2013.2.14)
【手続補正１】
【補正対象書類名】特許請求の範囲
【補正対象項目名】全文
【補正方法】変更
【補正の内容】
【特許請求の範囲】
【請求項１】
不動産取引成立後に取引手数料の一部をキャッシュバックする不動産売買取引システム。
現在、存在する数多くの不動産物件情報掲載広告サイトは直接、取引を担当しない。担当する物件情報広告主の宅建業者は、それぞれ独自の対応となり、取引の進め方が統一されておらず、消費者は高額な物件価格や高額な取引手数料に不安や不満を感じながら不動産取引をしている。
消費者にキャッシュバックを行う事で取引費用の低減を実現でき、直接又は提携業者が担当する事で不動産売買取引の進め方が統一され、物件情報掲載無料のサイトを通して取引に参加し易く、独自インスペクション情報提供の取り組みやアドバイスで物件の比較も容易になり、活発な不動産仲介市場をつくる事が可能である。
(57)【要約】【課題】本発明は、単独の電源線によって表示装置に電力を供給することを必要としないコンピューターシステムを提供する。【解決手段】ホストコンピューター及び表示装置を備え、ホストコンピューターは第一ＶＧＡインターフェースを備え、第一ＶＧＡインターフェースは第一ピン〜第十五ピンを備え、第一ＶＧＡインターフェースの第四ピン、第九ピン及び第十一ピンは、コンピューターシステムのマザーボードの１２Ｖ電圧端に接続され、表示装置は第二ＶＧＡインターフェース及び電力供給回路を備え、第二ＶＧＡインターフェースはＶＧＡケーブルによって第一ＶＧＡインターフェースに接続され、第二ＶＧＡインターフェースは第一ピン〜第十五ピンを備え、第二ＶＧＡインターフェースの第四ピン、第九ピン及び第十一ピンは電力供給回路に接続され、電力供給回路は表示装置に動作電圧を提供する。【選択図】図３
2014130581.tif 000002
【特許請求の範囲】
【請求項１】
ホストコンピューター及び表示装置を備えるコンピューターシステムであって、
前記ホストコンピューターは第一ＶＧＡインターフェースを備え、
前記第一ＶＧＡインターフェースは第一ピン〜第十五ピンを備え、
前記第一ＶＧＡインターフェースの第四ピン、第九ピン及び第十一ピンは、前記コンピューターシステムのマザーボードの１２Ｖ電圧端に接続され、
前記表示装置は第二ＶＧＡインターフェース及び電力供給回路を備え、
前記第二ＶＧＡインターフェースはＶＧＡケーブルによって前記第一ＶＧＡインターフェースに接続され、
前記第二ＶＧＡインターフェースは第一ピン〜第十五ピンを備え、
前記第二ＶＧＡインターフェースの第四ピン、第九ピン及び第十一ピンは前記電力供給回路に接続され、前記電力供給回路は前記表示装置に動作電圧を提供することを特徴とするコンピューターシステム。
【発明の詳細な説明】
【技術分野】
【０００１】
本発明は、コンピューターシステムに関するものである。
【背景技術】
【０００２】
図１に示されたように、現在のコンピューターシステムはホストコンピューター１０及び表示装置２０を備え、ホストコンピューター１０のマザーボード１０４はケーブルによって外部交流電源（ＡＣ）に接続され、表示装置２０の電気供給回路２０４は別のケーブルによって外部交流電源（ＡＣ）に接続される。表示装置２０のＶＧＡインターフェース２０２はＶＧＡケーブル１００によってホストコンピューター１０のＶＧＡインターフェース１０２に接続されて、ホストコンピューター１０の画像信号を表示装置２０によって表示する。
【発明の概要】
【発明が解決しようとする課題】
【０００３】
しかし、ユーザーがコンピューターシステムを使用する場合、単独のケーブルによって表示装置２０に電力を供給することは不便である。
【０００４】
本発明の目的は、上記問題を解決することであり、単独の電源線によって表示装置に電力を供給することを必要としないコンピューターシステムを提供することである。
【課題を解決するための手段】
【０００５】
本発明に係るコンピューターシステムは、ホストコンピューター及び表示装置を備え、ホストコンピューターは第一ＶＧＡインターフェースを備え、第一ＶＧＡインターフェースは第一ピン〜第十五ピンを備え、第一ＶＧＡインターフェースの第四ピン、第九ピン及び第十一ピンは、コンピューターシステムのマザーボードの１２Ｖ電圧端に接続され、表示装置は第二ＶＧＡインターフェース及び電力供給回路を備え、第二ＶＧＡインターフェースはＶＧＡケーブルによって第一ＶＧＡインターフェースに接続され、第二ＶＧＡインターフェースは第一ピン〜第十五ピンを備え、第二ＶＧＡインターフェースの第四ピン、第九ピン及び第十一ピンは電力供給回路に接続され、電力供給回路は表示装置に動作電圧を提供する。
【発明の効果】
【０００６】
本発明のコンピューターシステムはＶＧＡインターフェースのピンによって表示装置に電力を供給するので、表示装置用電源ケーブルを省略することができ、ユーザーに便利を提供する
【図面の簡単な説明】
【０００７】
【図１】従来の技術に係るコンピューターシステムの概略図である。
【図２】本発明の実施形態に係るコンピューターシステムの概略図である。
【図３】本発明の実施形態に係るコンピューターシステムのＶＧＡインターフェースを示す図である。
【発明を実施するための形態】
【０００８】
以下、図面を参照して、本発明の実施形態について説明する。
【０００９】
図２及び図３を参照すると、本発明の実施形態に係るコンピューターシステムは、ホストコンピューター３０及び表示装置４０を備える。
【００１０】
ホストコンピューター３０は、第一ＶＧＡインターフェース３０２及びマザーボード３００を備える。マザーボード３００は、電源供応装置によって外部交流電源ＡＣに接続される。マザーボード３００は、異なる類型の電圧を出力することができ、例えば１２Ｖである。第一ＶＧＡインターフェース３０２はマザーボード３００に設置されて画像信号を出力するために用いられる。
【００１１】
本実施形態において、第一ＶＧＡインターフェース３０２は、第一ピン１〜第十五ピン１５を備え、第一ピン１は赤色信号であり、第二ピン２は緑色信号であり、第三ピン３は青色信号であり、第五ピン５〜第八ピン８及び第十ピン１０は全て接地され、第十二ピン１２及び第十五ピン１５はＳＭＢｕｓであり、第十三ピン１３は水平同期信号であり、第十四ピンは垂直同期信号であり、第四ピン４、第九ピン９、第十一ピン１１はマザーボード３００からの１２Ｖ電圧を受ける。
【００１２】
表示装置４０は、第二ＶＧＡインターフェース４０２及び電力供給回路４００を備える。第二ＶＧＡインターフェース４０２の第一ピン〜第十五ピン１５はＶＧＡケーブル５０によってホストコンピューター３０の第一ＶＧＡインターフェース３０２の第一ピン〜第十五ピンに電気的に接続される。第二ＶＧＡインターフェース４０２の第四ピン４、第九ピン９及び第十一ピン１１は電力供給回路４００に接続されて、表示装置４０に電力を供給する。このように表示装置４０は単独のケーブルによって電力を供給することを必要としない。
【００１３】
本発明のコンピューターシステムは、ＶＧＡインターフェースのピンによって表示装置４０に電力を供給するので、表示装置用電源ケーブルを省略することができ、ユーザーに便利を提供する。
【符号の説明】
【００１４】
１０，３０  ホストコンピューター
２０，４０  表示装置
５０，１００  ＶＧＡケーブル
１０２，２０２  ＶＧＡインターフェース
１０４，３００  マザーボード
２０４，４００  電力供給回路
３０２  第一ＶＧＡインターフェース
４０２  第二ＶＧＡインターフェース
【図１】
2014130581.tif 000003
【図２】
2014130581.tif 000004
【図３】
2014130581.tif 000005
(57)【要約】      （修正有）【課題】携帯機器からコネクタを抜く際に、コネクタが金属製で携帯機器のメスコネクタと充電するオスコネクタには、引っ掛かりが付いています。またコネクタから垂直にコードが伸びている為に、コードを持って無理に抜くと、コネクタが破壊されていた。【解決手段】マイクロＵＳＢコネクタとコードを繋ぐ角度を変える事により、コードを持ってコネクタを抜く事が出来なくなり、マイクロＵＳＢコネクタの破損を防ぐ事が出来る。【選択図】図２
2014130787.tif 000002
【特許請求の範囲】
【請求項１】
マイクロＵＳＢコネクタの配置に関する。
【発明の詳細な説明】
【発明の詳細な説明】
【産業上の利用分野】
【０００１】  本発明は、マイクロＵＳＢコネクタを携帯機器から外す時に生じる、コネクタ部分の不具合に関するものである。
【背景技術】
【０００２】  携帯機器からコネクタを抜く際に、コネクタが金属製で携帯機器のメスコネクタと充電するオスコネクタには、引っ掛かりが付いています。
またコネクタから垂直にコードが伸びている為に、コードを持って無理に抜くと、コネクタが破壊されていた。
【発明が解決する手段】
【０００３】  携帯機器に接続するコネクタと、コネクタを繋ぐコードを、垂直に等しくするより、角度を付けてコードをコネクタと繋ぐ事により、コード持って引っ張る事が物理的に出来なくする。
【発明の効果】
【０００４】  本発明によれば、携帯機器からコネクタを外す時に、携帯機器のメスコネクタと充電するオスコネクタには、引っ掛かりが付いており、コネクタの成型部分を持ってしか、抜けない為にマイクロＵＳＢのコネクタが破壊されるのを防止できます。
【図面の簡単な説明】
【図１】  コードレス６面図
【図２】  コード付き６面図
【図１】
2014130787.tif 000003
【図２】
2014130787.tif 000004
(57)【要約】      （修正有）【課題】移動体通信機器は性能の向上により、旧機種と新機種の同時使用が頻繁に行われているが、同一メーカーに於いて、電力を供給するする為のコネクタの形状が違う為、使用者は不便を余儀なくされていることを解消する。【解決手段】旧機種と新機種に電力を供給する為のコネクタを、一つの成型品の中に配置して、２種類のコネクタを提供する。【選択図】図１
2014130786.tif 000002
【特許請求の範囲】
【請求項１】
２種類のコネクタを、１体の成型品として製作し、１個のコネクタとして使用できる。
【発明の詳細な説明】
【発明の詳細な説明】
【産業上の利用分野】
【０００１】本発明は、携帯機器を充電に使用する時、必ず必要な接続機器であるコネクタを２種類装着し、携帯機器に電力を供給する時に関するものである。
【背景技術】
【０００２】  携帯機器に電力を供給する際、１種類のコネクタを使用していたが、同じメーカーが、前機種と違うコネクタを発売し、消費者が不便を余儀なくされています。
【発明が解決する手段】
【０００３】  携帯機器に電力を供給するコネクタを、２種類のコネクタを１体にする事により、解決できる。
【発明の効果】
【０００４】  本発明によれば、携帯機器に電力を供給する際に、旧機種と新機種の複数のコネクタを１体にする事により、消費者が不便を解消できる。
【図面の簡単な説明】
【図１】平面図
【図２】立体図
【符号の説明】
【図１】
2014130786.tif 000003
【図２】
2014130786.tif 000004
(57)【要約】【課題】水素に対する感度を抑制できる電気化学式ガスセンサに適したナノ白金粒子含有炭素を成膜した作用極を提供すること。【解決手段】撥水性通気膜１の一方の表面にシリコン層２を介してナノ白金粒子含有炭素層３が形成されている。【選択図】図１
2014130018.tif 000002
【特許請求の範囲】
【請求項１】
撥水性通気膜の一方の表面にシリコン層を介してナノ白金粒子含有炭素層が形成されている電気化学式ガスセンサ用作用極。
【請求項２】
前記シリコン層の膜厚が２０ｎｍ以上で被験ガスの透過を阻害しない程度である請求項１に記載の電気化学式ガスセンサ用作用極。
【請求項３】
撥水性通気膜の一方の表面にシリコン層を形成する工程と、前記シリコン層の表面にナノ白金粒子含有炭素層を形成する工程とからなる電気化学式ガスセンサ用作用極の製造方法。
【請求項４】
前記シリコン層の膜厚が２０ｎｍ以上で被験ガスの透過を阻害しない程度である請求項３に記載の電気化学式ガスセンサ用作用極の製造方法。
【発明の詳細な説明】
【技術分野】
【０００１】
本発明は、気体透過性の隔膜を介して気体を電解液に接液させ、隔膜に形成されている作用極と対極との間の電気的変化から気体の濃度を検出する隔膜型電気化学式ガス検出器の作用極に関する。
【背景技術】
【０００２】
電気化学式ガスセンサの作用極は撥水性多孔質膜の表面に被測定ガスと電解液とを酸化還元反応させる導電性物質の膜を形成して構成されている。
通常、酸性ガスを検出する電気化学式ガスセンサの作用極には金（Au）が用いられている。
【０００３】
この電極を用いた電気化学式ガスセンサで酸性ガス、例えば臭化水素（ＨＢｒ）を検出すると、
Ａｕ＋４ＨＢｒ→ＡｕＢｒ4＋４Ｈ＋３ｅ
なる反応により検出できるが、作用極を構成する電極材料が臭化水素により化学変化を受け図３の符号Ａの線図に示したように繰り返し特性、つまり感度に変化をきたすという問題がある。
【０００４】
そこで特許文献１に見られるようなナノ白金粒子含有炭素を成膜した電極を用いると、繰り返し特性や経時特性が安定し、その結果、図４の符号Ａの線図に示したようにスパン変化率は小さいものの、水素（Ｈ2）に対する感度が大きくなり、臭化水素に対する選択性が低下するという新たな問題がある。
【先行技術文献】
【特許文献】
【０００５】
【特許文献１】特開２００３−１２１４０７号公報
【発明の概要】
【発明が解決しようとする課題】
【０００６】
本発明は、このような問題に鑑みてなされたものであってその目的とするところは水素に対する感度を抑制できる酸性ガス用の電気化学式ガスセンサに適したナノ白金粒子含有炭素を成膜した作用極、及びこれの製造方法を提供することである。
【課題を解決するための手段】
【０００７】
このような課題を達成するために本発明は、撥水性通気膜の一方の表面にシリコン層を介してナノ白金粒子含有炭素層が形成されている。
【発明の効果】
【０００８】
電極形成時に撥水性多孔質膜の細孔から遊離した不純物がシリコン層で遮断されているため、電極層であるナノ白金粒子含有炭素の純度が維持でき水素に対する感度を抑制できる。
【図面の簡単な説明】
【０００９】
【図１】本発明の電気化学式ガスセンサ用作用極を模式的に示す図。
【図２】シリコン膜の厚みと水素に対する相対感度を示す線図。
【図３】金を使用した作用極（Ａ）とナノ白金粒子含有炭素を使用した作用極（Ｂ）との繰り返し特性を示す線図である。
【図４】金を使用した作用極（Ａ）とナノ白金粒子含有炭素を使用した作用極（Ｂ）とのスパン変化率の経時変化を示す図。
【発明を実施するための形態】
【００１０】
そこで以下に本発明の詳細を実施例に基づいて説明する。
図１は、本発明の酸性ガス検出用作用極を模式的に示すものであって、フッ素樹脂等の撥水性通気膜１の一方の表面に電子サイクロトロン共鳴（ＥＣＲ）スパッタ装置、またはアンバランストマグネトロンスパッタ（ＵＢＭＳ）装置により少なくとも２０ｎｍ以上で、柔軟性及び通気性を阻害しない程度の厚みシリコン層２を形成する。
【００１１】
すなわち、ターゲットとして純度の高いシリコンターゲットを用い、アルゴンガス圧を０．０１Ｔｏｒｒ、基板を常温、ターゲット電圧を１ｋＶとし、膜厚が２０ｎｍになるまでスパッタを行う。
【００１２】
ついで特許文献１に見られる方法でナノ白金粒子を含有した炭素層３を形成する。
つまり純度の高いカーボンターゲットと白金ターゲットを配置し、アルゴンガス圧０．０１Ｔｏｒｒ、基板温度を常温に保持、ターゲット電圧１ｋＶとして膜厚２〜２０ｎｍになるまでスパッタを行う。
なお、カーボンへの白金の含有率（含有量２５ａｔ％〜５５ａｔ％）は、カーボンターゲットと白金ターゲットとのスパッタ面積比で調整できる。
【００１３】
本発明においては撥水性通気膜１の表面に気体が不透過なシリコン層２が形成されているため、撥水性通気膜１に含まれている不純物がシリコン層２で吸収遮断される。
これによりスパッタ時にナノ白金粒子を含有した炭素層に、水素に感度を与える不純物である水素や酸素等が侵入するのを遮断できる。
【００１４】
次に最適なシリコン膜の膜厚を調査すべくその膜厚を変えながら一定厚（５ｎｍ）のナノ白金粒子を含有した炭素層３を形成し、これを用いた電気化学式ガスセンサにより水素を検出したところ、図２のようになった。
【００１５】
すなわち５ｎｍ乃至２０ｎｍまでは水素の感度は膜厚とともに急激に低下し、以後はほぼ一定となる。
このことからシリコン膜３の膜厚は２０ｎｍ以上が好ましいことが判る。他方、シリコン膜の厚みが大きくなると、撥水性通気膜１の被験ガスの透過性や柔軟性が低下する。また上限は通気性や柔軟性を阻害しない程度が好ましい。
【００１６】
このように構成された作用極を備えた電気化学式ガスセンサを用いてスパン変化率を調査したところ図４の符号Ｂの線図に示したように従来の金を用いた作用極よりも長期間に亘ってその変化は極めて小さかった。
【００１７】
また、濃度  ｐｐｍの臭化水素を２分間、周期約７分で照射して繰り返し特性を調べたところ図３の符号Ｂの線図に示したようにほとんど変化が見られなかった。
【符号の説明】
【００１８】
１  撥水性通気膜    ２  シリコン層    ３  ナノ白金粒子含有炭素層
【図１】
2014130018.tif 000003
【図２】
2014130018.tif 000004
【図３】
2014130018.tif 000005
【図４】
2014130018.tif 000006
(57)【要約】【課題】  蒸気使用装置から排出されるモヤモヤと立ち昇る廃蒸気を解消すると共に、蒸気使用装置で使用する加熱用の蒸気をヒートポンプで発生することのできる廃蒸気回収装置を提供する。【解決手段】  廃蒸気回収部材１と圧縮機２と凝縮器３と膨張機としての蒸気トラップ４、及び、これらを接続する循環路５とで廃蒸気回収装置を構成する。ヒートポンプを、蒸発器としての廃蒸気回収部材１と圧縮機２と凝縮器３、及び、蒸気トラップ４とで構成する。  蒸気使用装置から排出されるモヤモヤと立ち昇る廃蒸気が蒸発器１で冷却されて解消すると共に、蒸気使用装置で使用する加熱用の蒸気の一部をヒートポンプの凝縮器３で発生して供給することができる。【選択図】  図１
2014095527.tif 000002
【特許請求の範囲】
【請求項１】
蒸気使用装置から排出されるモヤモヤと立ち昇る廃蒸気を冷却することによって回収するものにおいて、熱交換容器に大気連通管と冷却流体管を設けた廃蒸気回収部材と、当該廃蒸気回収部材をヒートポンプの蒸発器として配置して廃蒸気を回収すると共に、ヒートポンプの凝縮器で加熱用の蒸気を発生して蒸気使用装置へ供給することを特徴とする廃蒸気回収装置。
【発明の詳細な説明】
【技術分野】
【０００１】
本発明は、蒸気蒸し器やスチームオーブンやシュリンクトンネル等の蒸気使用装置からモヤモヤと立ち昇る廃蒸気を回収する廃蒸気回収装置に関する。
【背景技術】
【０００２】
廃蒸気回収装置の一例としては、廃液処理装置にヒートポンプを連通して、当該ヒートポンプで廃液の蒸発物を冷却して液化させることができるものである。
【先行技術文献】
【特許文献】
【０００３】
【特許文献１】特開平７−３０３８７７号公報
【発明の概要】
【発明が解決しようとする課題】
【０００４】
上記従来の廃蒸気回収装置においては、廃蒸気の保有する熱量を、効率良く回収することができない問題があった。
【０００５】
本発明が解決しようとする課題は、蒸気使用装置から排出されるモヤモヤと立ち昇る廃蒸気の熱量を効率良く回収すると共に、蒸気使用装置で使用する加熱用の蒸気の一部をヒートポンプで効率良く発生することのできる廃蒸気回収装置を提供することである。
【課題を解決するための手段】
【０００６】
本発明は、蒸気使用装置から排出されるモヤモヤと立ち昇る廃蒸気を冷却することによって回収するものにおいて、熱交換容器に大気連通管と冷却流体管を設けた廃蒸気回収部材と、当該廃蒸気回収部材をヒートポンプの蒸発器として配置して廃蒸気を回収すると共に、ヒートポンプの凝縮器で加熱用の蒸気を発生して蒸気使用装置へ供給するものである。
【発明の効果】
【０００７】
本発明の廃蒸気回収装置は、ヒートポンプの蒸発器で廃蒸気の保有する熱量を効率良く回収すると共に、ヒートポンプの凝縮器で加熱用の蒸気を発生することができる。
【図面の簡単な説明】
【０００８】
【図１】本発明の廃蒸気回収装置の実施例を示す構成図。
【発明を実施するための最良の形態】
【０００９】
本発明は、ヒートポンプを設けたものであるが、このヒートポンプとしては、蒸発器と圧縮機と凝縮器と膨張機、及び、これらを接続する管路とで構成される従来公知のものを用いることができる。
【実施例１】
【００１０】
廃蒸気回収部材１と圧縮機２と凝縮器３と膨張機としての蒸気トラップ４、及び、これらを接続する循環路５とで廃蒸気回収装置を構成する。ヒートポンプを、蒸発器としての廃蒸気回収部材１と圧縮機２と凝縮器３、及び、蒸気トラップ４とで構成する。
【００１１】
蒸発器としての廃蒸気回収部材１には、図示しない蒸気使用装置から排出されるモヤモヤと立ち昇る廃蒸気を廃蒸気回収部材１へ供給する廃蒸気供給管６を接続すると共に、内部に大気連通管７と冷却流体管８を配置する。大気連通管７は円筒パイプ状で、廃蒸気回収部材１の中央部に上端部を廃蒸気回収部材１の外部に突出して大気中に開放して配置し、下端部を廃蒸気回収部材１の底壁９とわずかな隙間を介して開放状態で配置する。
【００１２】
大気連通管７の中央部に、廃蒸気回収部材１内で廃蒸気が凝縮して発生した復水を外部へ排出する復水排出管１０を取り付ける。なお、復水排出管１０の上端は、大気連通管７の下端部よりもわずかに上部に配置する。廃蒸気回収部材１内の冷却流体管８はコイル状で大気連通管７の外周に配置する。冷却流体管８の下端部は蒸気トラップ４の出口側の循環路５と接続し、冷却流体管８の上端部は圧縮機２の入口側の循環路５と接続する。
【００１３】
圧縮機２の出口側の循環路５を凝縮器３内の加熱管１１の上端と接続し、加熱管１１の下端は蒸気トラップ入口側の循環路５と接続する。凝縮器３には、軟水供給管１２と蒸気供給管１３を接続する。軟水供給管１２から凝縮器３へ供給された軟水が加熱され蒸気となって、蒸気供給管１３から図示しない蒸気使用装置へと供給される。
【００１４】
凝縮器３で軟水を加熱するために熱を奪われた加熱管１１内の熱媒体は、凝縮して液体となり、膨張機としての蒸気トラップ４を通過する間に膨張して気体となって循環路５から蒸発器１内の冷却流体管８へ流下する。蒸発器１内で廃蒸気の熱を奪って昇温した熱媒体は、圧縮機２で圧縮されて更に昇温して凝縮器３へと送られる。
【００１５】
図示しない蒸気使用装置から排出されるモヤモヤと立ち昇る廃蒸気が蒸発器１で冷却されて解消すると共に、いずれかの蒸気使用装置で使用する加熱用の蒸気の一部をヒートポンプの凝縮器３で発生して供給することができる。
【産業上の利用可能性】
【００１６】
本発明は、蒸気蒸し器やスチームオーブンやシュリンクトンネル等の蒸気使用装置からモヤモヤと立ち昇る廃蒸気を回収する廃蒸気回収装置として利用することができる。
【符号の説明】
【００１７】
１  蒸発器
２  圧縮機
３  凝縮器
４  蒸気トラップ
５  循環路
６  廃蒸気供給管
７  大気開放管
８  冷却流体管
９  底壁
１０  復水排出管
１１  加熱管
１２  軟水供給管
１３  蒸気供給管
【図１】
2014095527.tif 000003
(57)【要約】【課題】  蒸気の潜熱と共に高温復水の顕熱も回収することによって、熱回収率の向上した熱交換装置を提供すること。【解決手段】  熱交換容器１に蒸気供給管２と冷却流体供給管３を接続する。熱交換容器１の中央に大気開放管４を取り付ける。大気開放管４の外周に冷却流体管８を配置する。熱交換容器１の下部に一端５を開口し他端６を大気中に開口したサイフォン菅７を取り付ける。蒸気の潜熱のみならず、熱交換容器１の下側部１０に滞留している高温復水が冷却流体管８で熱交換されて、高温復水の顕熱も回収することによって、熱回収率の向上した熱交換装置とすることができる。【選択図】  図１
2014095526.tif 000002
【特許請求の範囲】
【請求項１】
熱交換容器の内部に冷却流体管を取り付けて、当該冷却流体管に冷却流体を供給すると共に、冷却流体管の外周に蒸気を供給して、蒸気を冷却流体で熱交換することによって凝縮させるものにおいて、熱交換容器の下部に一端を開口し他端を大気中に開口したサイフォン管を取り付けたことを特徴とする熱交換装置。
【発明の詳細な説明】
【技術分野】
【０００１】
本発明は、各種蒸気使用装置で使用されて残った蒸気や、蒸気の凝縮した高温復水から発生した再蒸発蒸気などを、水等の冷却流体で熱交換して凝縮させることによって、モヤモヤと立ち込める蒸気を無くしたり、あるいは、冷却流体を熱交換して温度上昇した温水を別途使用して蒸気の保有熱を有効利用するものに関する。
【背景技術】
【０００２】
従来の熱交換装置は、蒸気供給口を有する熱回収室に冷却管を内設し、この熱回収室に大気開放部を連通して、大気開放部と熱回収室の下部に凝縮液を貯溜させることにより、熱回収室内へ不凝縮気体、例えば空気等、が流入することを防止して効率良く熱交換することができるものである。
【０００３】
この熱交換装置においては、熱回収率が８０パーセントからせいぜい９０パーセント程度と比較的低い値に止まってしまう問題があった。これは、冷却流体を蒸気とのみ熱交換するだけであり、蒸気が凝縮して未だ高温状態の復水と冷却流体を熱交換しないためである。即ち、上記従来の熱交換装置では、蒸気が気相から液相に相変化する場合の潜熱を回収することはできるが、高温復水の保有する顕熱を十分には回収できないのである。
【先行技術文献】
【特許文献】
【０００４】
【特許文献１】特開昭６０−１２０１８６号公報
【発明の概要】
【発明が解決しようとする課題】
【０００５】
解決しようとする課題は、蒸気の潜熱と共に高温復水の顕熱も回収することによって、熱回収率の向上した熱交換装置を提供すること。
【課題を解決するための手段】
【０００６】
本発明は、熱交換容器の内部に冷却流体管を取り付けて、当該冷却流体管に冷却流体を供給すると共に、冷却流体管の外周に蒸気を供給して、蒸気を冷却流体で熱交換することによって凝縮させるものにおいて、熱交換容器の下部に一端を開口し他端を大気中に開口したサイフォン管を取り付けたものである。
【発明の効果】
【０００７】
本発明の熱交換装置は、熱交換容器の下部に一端を開口し他端を大気中に開口したサイフォン管を取り付けたことにより、サイフォン菅の上端部の位置まで熱交換容器の下側部に復水が滞留し、この滞留している復水が冷却流体管によって熱交換されることで、高温復水の顕熱も回収することができる。なお、滞留している復水の水位がサイフォン管の上端部を越えると、サイフォン管の下端開口位置までの復水は、サイフォン管の作用によって外部へ排出される。このようにサイフォン管によって復水が定期的に外部へ排出されることによって、熱交換容器の下側部に滞留する復水の温度は過冷却状態となることなく、高温復水の熱を効率良く回収することができる。
【図面の簡単な説明】
【０００８】
【図１】本発明の熱交換装置の実施例を示す構成図。
【発明を実施するための最良の形態】
【０００９】
本発明の熱交換装置は、熱交換容器の下部に一端を開口し他端を大気中に開口したサイフォン菅を取り付けるものであるが、このサイフォン管は、１本のみならず、複数本を取り付けることができる。
【実施例１】
【００１０】
熱交換容器１に接続した蒸気供給管２及び冷却流体供給管３と、熱交換容器１の中央に取り付けた大気開放管４と、大気開放管４の外周に配置した冷却流体管８と、熱交換容器１の下部に一端５を開口し他端６を大気中に開口したサイフォン菅７とで、熱交換装置を構成する。
【００１１】
蒸気供給管２は、図示しない蒸気使用装置の出口側や高温復水の再蒸発タンク等と接続して、凝縮すべく蒸気を熱交換容器１内に供給する。熱交換容器１内の中央部に円筒パイプ状の大気開放管４を設ける。大気開放管４の外周に、銅製長尺パイプをコイル状に形成した冷却流体管８を配置して、冷却流体管８の下部入口側を冷却流体供給管３と接続すると共に、上部出口側は温水排出管９と接続する。蒸気供給管２から熱交換容器１内に供給された蒸気が冷却流体管８の外表面と接触して熱交換され凝縮するものである。
【００１２】
略Ｕ字状のサイフォン管７の一端５を熱交換容器１の下端部に開口し、他端６を大気中に開放する。サイフォン菅７の他端６側に管路１１を接続して、復水を所定箇所へと回収することもできるようにする。
【００１３】
熱交換容器１内で蒸気の凝縮した高温復水が熱交換容器１の下側部１０に溜まり、冷却流体管８で熱交換されることにより、高温復水の保有する熱量、すなわち、高温復水の顕熱を熱回収することができる。
【００１４】
熱交換容器１の下側部１０に滞留している復水の水位が、サイフォン管７の上端部１２を越えると、サイフォン管７の下端開口位置５までの復水は、サイフォン管７の作用によって他端６から外部へ排出される。サイフォン管７により熱交換容器１の下側部１０に溜まっていた復水が一旦排出されると、蒸気供給管２から熱交換容器１内へ供給される蒸気が冷却されて再度、熱交換容器１の下側部１０に滞留して、冷却流体管８で熱交換される。
【産業上の利用可能性】
【００１５】
本発明は、蒸気の潜熱と共に高温復水の顕熱も回収することによって、熱回収率の向上した熱交換装置として利用することができる。
【符号の説明】
【００１６】
１  熱交換容器
２  蒸気供給管
３  冷却流体供給管
４  大気開放管
５  一端
６  他端
７  サイフォン菅
８  冷却流体管
９  温水排出管
１２  上端部
【図１】
2014095526.tif 000003